(57)【特許請求の範囲】
【請求項１】
端末と、
セルと、
前記セルを管理する基地局と、
前記基地局を管理するコアネットワークノードと、
を有する無線通信システムであって、
前記基地局は、
前記セルと前記端末とを関連付けるための関連付け情報を登録し、
前記登録された関連付け情報に基づいて、前記端末を呼び出すための呼出メッセージを送信し、
前記呼出メッセージに対して応答がない場合、前記コアネットワークノードに、前記端末が、前記セルの範囲外にいることを示すアラーム情報を送信し、
前記コアネットワークノードは、
前記アラーム情報を受信し、
前記アラーム情報に基づいて、前記端末に対するアラーム通知を行う、
前記端末は、
前記アラーム通知を受信し、
前記無線通信システムは、第２の端末を更に有し、
前記基地局は、
所定の時間内、前記端末及び前記第２の端末が前記セルに在圏した場合、前記第２の端末が前記端末に追従する候補端末であると判断し、
前記基地局は、
前記端末に追従する候補端末であると判断された前記第２の端末の情報を、前記コアネットワークノードに通知し、
前記コアネットワークノードは、
前記端末に追従する候補端末であると判断された前記第２の端末の情報を受信する受信処理を行い、
前記受信処理にて前記受信した情報を記憶し、
前記受信処理が所定回数行われた場合、前記第２の端末を前記端末に追従する追従端末として特定する、
無線通信システム。
【請求項２】
前記コアネットワークノードは、
前記追従端末が追従する前記端末を管理する管理端末宛に、前記追従端末の存在を知らせる第２のアラーム通知を行う、
請求項１記載の無線通信システム。
【請求項３】
前記端末は、
前記呼出メッセージに対して応答するための応答メッセージを、前記端末が在圏する前記セルを管理する前記基地局に送信し、
前記基地局は、
前記応答メッセージに含まれる前記端末の識別情報を取得する、
請求項１記載の無線通信システム。
【請求項４】
端末と、セルと、前記セルを管理する基地局と、前記基地局を管理するコアネットワークノードと、を有する無線通信システムの通信方法であって、
前記基地局は、
前記セルと前記端末とを関連付けるための関連付け情報を登録し、
前記登録された関連付け情報に基づいて、前記端末を呼び出すための呼出メッセージを送信し、
前記呼出メッセージに対して応答がない場合、前記コアネットワークノードに、前記端末が、前記セルの範囲外にいることを示すアラーム情報を送信し、
前記コアネットワークノードは、
前記アラーム情報を受信し、
前記アラーム情報に基づいて、前記端末に対するアラーム通知を行う、
前記端末は、
前記アラーム通知を受信し、
前記無線通信システムは、第２の端末を更に有し、
前記基地局は、
所定の時間内、前記端末及び前記第２の端末が前記セルに在圏した場合、前記第２の端末が前記端末に追従する候補端末であると判断し、
前記基地局は、
前記端末に追従する候補端末であると判断された前記第２の端末の情報を、前記コアネットワークノードに通知し、
前記コアネットワークノードは、
前記端末に追従する候補端末であると判断された前記第２の端末の情報を受信する受信処理を行い、
前記受信処理にて前記受信した情報を記憶し、
前記受信処理が所定回数行われた場合、前記第２の端末を前記端末に追従する追従端末として特定する、
無線通信システムの通信方法。
【発明の詳細な説明】
【技術分野】
【０００１】
本開示は、無線通信システム、基地局、無線通信システムの通信方法、基地局の通信方法、プログラムに関する。
【背景技術】
【０００２】
特許文献１は、作業者が予め設定された作業経路を逸脱した場合に、異常を検出する装置及び方法に関する。特許文献１において、携帯機を保持する作業者の作業経路が、位置表示サーバに、予め登録されている。携帯機からの位置情報が基地局及び基地局制御装置を介して位置表示サーバに入力されると、位置情報サーバは、当該携帯機の位置が予め登録された作業経路を外れているか否か判定する。判定の結果、携帯機の位置が当該作業経路を外れていれば、異常と判断され、異常の報知が行なわれる。
【先行技術文献】
【特許文献】
【０００３】
【特許文献１】特開２００１−１５５２８０
【発明の概要】
【発明が解決しようとする課題】
【０００４】
しかし、特許文献１では、携帯機の移動先のセルにおける位置情報が基地局に報告され、その情報を基地局制御装置から位置情報サーバに送信された後、当該位置情報サーバが、作業経路を外れているか否か判断することで初めて、携帯機が所定セル内に存在するか否か判定される。このように、当該判定処理が複雑である。
【０００５】
そこで、例示的な実施形態の目的の１つは、移動体が所定の範囲の外にいるかどうかを判定する判定処理をより適切に行う仕組みを提供する事にある。なお、この目的は、本明細書に開示される実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００６】
例示的な実施形態の無線通信システムは、端末と、セルと、前記セルを管理する基地局と、前記基地局を管理するコアネットワークノードと、を有する。前記基地局は、前記セルと前記端末とを関連付けるための関連付け情報を登録し、前記登録された関連付け情報に基づいて、前記端末を呼び出すための呼出メッセージを送信し、前記呼出メッセージに対して応答がない場合、前記コアネットワークノードに、前記端末が、前記セルの範囲外にいることを示すアラーム情報を送信する。前記コアネットワークノードは、前記アラーム情報を受信し、前記アラーム情報に基づいて、前記端末に対するアラーム通知を行う。前記端末は、前記アラーム通知を受信する。
【０００７】
他の例示的な実施形態の基地局は、端末と通信するために用いられるセルを有する。基地局は、前記セルと前記端末とを関連付けるための関連付け情報を登録する記憶部と、前記登録された関連付け情報に基づいて、前記端末を呼び出すための呼出メッセージを送信する第１の通信部と、前記呼出メッセージに対して応答がない場合、前記コアネットワークノードに、前記端末が、前記セルの範囲外にいることを示すアラーム情報を送信する第２の通信部とを有する。
【０００８】
他の例示的な実施形態の無線通信システムの通信方法において、無線通信システムは、端末と、セルと、前記セルを管理する基地局と、前記基地局を管理するコアネットワークノードと、を有する。前記基地局は、前記セルと前記端末とを関連付けるための関連付け情報を登録し、前記登録された関連付け情報に基づいて、前記端末を呼び出すための呼出メッセージを送信し、前記呼出メッセージに対して応答がない場合、前記コアネットワークノードに、前記端末が、前記セルの範囲外にいることを示すアラーム情報を送信する。前記コアネットワークノードは、前記アラーム情報を受信し、前記アラーム情報に基づいて、前記端末に対するアラーム通知を行う、前記端末は、前記アラーム通知を受信する。
【０００９】
他の例示的な実施形態の基地局の通信方法において、基地局は、端末と通信するために用いられるセルを有する。前記基地局は、前記セルと前記端末とを関連付けるための関連付け情報を登録し、前記登録された関連付け情報に基づいて、前記端末を呼び出すための呼出メッセージを送信し、前記呼出メッセージに対して応答がない場合、前記コアネットワークノードに、前記端末が、前記セルの範囲外にいることを示すアラーム情報を送信する。
【００１０】
他の例示的な実施形態のプログラムは、端末と通信するために用いられるセルを有する基地局の通信方法をコンピュータに実行させる。プログラムは、前記セルと前記端末とを関連付けるための関連付け情報を登録し、前記登録された関連付け情報に基づいて、前記端末を呼び出すための呼出メッセージを送信し、前記呼出メッセージに対して応答がない場合、前記コアネットワークノードに、前記端末が、前記セルの範囲外にいることを示すアラーム情報を送信するプロセスをコンピュータに実行させるプログラム。
【発明の効果】
【００１１】
本発明の例示的な実施形態によれば、移動体が所定の範囲の外にいるかどうかを判定する判定処理をより適切に行うことができる。
【図面の簡単な説明】
【００１２】
【図１】第１の例示的な実施形態の無線通信システムを示す。
【図２】第１の例示的な実施形態の無線通信システムを示す。
【図３】第１の例示的な実施形態の端末を示す。
【図４】第１の例示的な実施形態の基地局を示す。
【図５】第１の例示的な実施形態のコアネットワークノードを示す。
【図６】第１の例示的な実施形態における端末２０の経路を登録する動作を示す。
【図７】第１の例示的な実施形態において端末２０が経路を外れた場合の動作を示す。
【図８】第１の例示的な実施形態において第３者端末２１が端末２０を追従する場合の動作を示す。
【図９】第２の例示的な実施形態の無線通信システムを示す。
【図１０】第３の例示的な実施形態の基地局を示す。
【図１１】第４の例示的な実施形態の無線通信システムを示す。
【発明を実施するための形態】
【００１３】
以下において、添付図面を参照しながら、例示的な（exemplary）実施形態が詳細に示される。各図面において、同一又は対応する要素には同一の符号が付されており、説明の明確化のため、必要に応じて重複説明は省略される。以下に説明される複数の例示的な実施形態は、独立に実施されることもできるし、適宜組み合わせて実施されることもできる。
【００１４】
＜第１の例示的な実施形態＞
図１は、第１の例示的な実施形態の無線通信システムを示す。
【００１５】
無線通信システムは、少なくとも一つのセルと、端末２０、第３者端末２１、管理端末２２とを有する。
【００１６】
図１において、６つのセル１〜６が示される。また、セル１〜６は、基地局１１〜１６によりそれぞれ構成される。セル１〜６は、図１のように互いに重なり合っている。
【００１７】
図１の例において、端末２０は、出発地Ａから目的地Ｂまで、移動経路１０００に沿って移動する。移動経路１０００には、セル４、セル５、セル２、セル３が配置されている。
【００１８】
例えば、端末２０は、移動体（例えば児童）によって所持される。端末２０は、セル２に在圏する。
【００１９】
また、管理端末２２は、端末２０を管理する。例えば、管理端末２２は、端末２０が児童によって所持される場合、保護者によって所持される。図１の例において、管理端末２２は、セル４に在圏する。
【００２０】
第３者端末２１は、セル２に在圏する。例えば、第３者端末２１は、端末２０を追従する端末である。
【００２１】
図２は、第１の例示的な実施形態の無線通信システムを示す。図２は、図１の無線通信システムの具体例である。
【００２２】
図２において、無線通信システムは、複数のセル２〜５と、複数の基地局１２〜１５、端末２０、コアネットワーク３０を含む。基地局１４は、セル４を管理する。基地局１５は、セル５を管理する。基地局１２は、セル２を管理する。基地局１３は、セル３を管理する。コアネットワーク３０は、コアネットワークノード３００を含む。コアネットワーク３０と其々の基地局とが接続される。
【００２３】
図２の例において、端末２０は、セル４、セル５、セル２、セル３を図２中の矢印に向かって移動する。図２において、端末２０は、セル２に在圏（位置）する。なお、移動方向は、セル２〜５の内であれば特に限られない。例えば、移動方向は、矢印の方向と逆方向であってもよい。
【００２４】
端末２０と、セル４、セル５、セル２、セル３とが、それぞれ関連づけられる。関連づけられた関連付け情報は、基地局１４、基地局１５、基地局１２、基地局１３に其々登録される。また、端末２０は、其々のセルを介してコアネットワーク３０と通信を行う。
【００２５】
なお、図２において、一つの基地局が一つのセルを管理している。一つの基地局は、複数のセル（またはセクタともいう）を管理してもよい。また、コアネットワーク３０と其々の基地局との間に、基地局を管理する制御装置を設けてもよい。
【００２６】
図３は、第１の例示的な実施形態の端末を示す。
【００２７】
図３において、端末２０は、通信部２０１と、制御部２０２と、出力部２０３と、入力部２０４、アンテナ２０５とを有する。
【００２８】
通信部２０１は、アンテナ２０５と接続され、アンテナ２０５を介して、基地局と各種情報及び通知の通信（送受信）を行う。
【００２９】
制御部２０２は、端末２０の各部を制御する。
【００３０】
出力部２０３は、制御部２０２の制御に従い、所定の出力情報を出力する。例えば、出力部は、端末２０のユーザー向けに情報を伝えるためのディスプレイやスピーカー等であってもよい。
【００３１】
入力部２０４は、端末２０は入力情報を入力する。例えば、入力部２０４は操作キーやマイク等であってもよい。なお、出力部２０３と入力部２０４とから構成されるタッチパネルが、出力部２０３と入力部２０４の代わりに用いられてもよい。
【００３２】
アンテナ２０５は、通信部２０１との間で情報の入出力を行う。アンテナ２０５から送信される信号を用いて、端末と基地局との間で通信が行われる。
【００３３】
図４は、第１の例示的な実施形態の基地局を示す。
【００３４】
図４において、基地局は、アンテナ１０１と、第１通信部１０２と、制御部１０３と、記憶部１０４と、第２通信部１０５とを有する。
【００３５】
アンテナ１０１は、端末との通信のため、セルを形成する。アンテナ１０１は、第１通信部１０２と接続される。
【００３６】
第１通信部１０２は、端末及びコアネットワークノードとの間で、送受信される情報および通知を処理する。
【００３７】
制御部１０３は、基地局内でやりとりされる信号及び情報を処理し、各部を制御する。
【００３８】
記憶部１０４は、自セルと隣接するセルの情報や、端末から受信した情報等を記憶する。
【００３９】
第２通信部１０５は、コアネットワークノードとの間で、各種情報及び通知を送受信する。
【００４０】
図５は、第１の例示的な実施形態のコアネットワークノードを示す。
【００４１】
図５において、コアネットワークノード３００は、受信部３０１と、制御部３０２と、送信部３０３とを有する。
【００４２】
受信部３０１は、基地局から、経路登録に関する依頼、端末の位置確認未到達の通知または、アラーム通知依頼などを受信する。
【００４３】
制御部３０２は、各部を制御する。例えば、受信部３０１が受信した情報に基づき、基地局宛の通知の送信有無を判断する。
【００４４】
送信部３０３は、制御部３０２の制御に基づき、基地局宛に各種情報または通知を行う。
【００４５】
図６は、第１の例示的な実施形態における端末２０の経路を登録する動作を示す。
【００４６】
図６には、端末２０の経路に対応するセルを登録する２つの例が示される。
【００４７】
＜端末２０から各セルへ直接登録する例＞
図６のＳ１０において、端末２０は、所望のセルを選択し、当該セルに端末２０の情報を登録する。
【００４８】
例えば、端末２０の出力部２０３に出力（表示）される地図を利用して出発地Ａから目的地Ｂへの経路に対応するセルが選択される。例えば、出力部２０３は、図１に示されるような地図を表示することができる。出力部２０３には、セル１〜セル６が表示される。入力部２０４の入力に応じて、セル１〜セル６の中から所望のセルが選択される。図１の例では、セル４、セル５、セル２、セル３が選択される。
【００４９】
ここで、所望のセルの選択方法の例が示される。例えば、出発地Ａから目的地Ｂまでの経路を指でなぞる（たどる）ことによって、所望のセルが選択される。また例えば、個別にセルを入力することによって、所望のセルが選択される。
【００５０】
なお、出力部２０３は、端末の移動経路の候補となる複数の経路を表示することもできる。また、例えば、出発地と目的地を入力すると複数の経路が表示され、経路を選択すると、経路に対応するセルが表示されるように構成されてもよい。
【００５１】
上記で選択されたセルは、端末２０の情報を登録する。例えば、端末２０の情報を、選択されたセルを管理する基地局の記憶部１０４に登録（記憶）されてもよい。図２の例では、セル４、セル５、セル２、セル３を管理する基地局１４、基地局１５、基地局１２、基地局１３に、端末２０の情報が登録される。
【００５２】
経路登録の例が示される。例えば、端末２０が、其々のセルを通過する際に、通過するセルへ経路登録の通知を行う。図１の例では、セル４、セル５、セル２、セル３の順に経路登録の通知が行われる。
【００５３】
例えば、端末２０が所定のセルに在圏した際に、このセルから受信する制御信号に基づき、端末２０の出力部２０３に、セルの情報が表示できる。入力部２０４からの入力情報に応じて、このセルが選択されるか否かが判断される。このセルが選択された場合、基地局の記憶部１０４に、端末２０の情報が登録される。ここで、入力情報は、セルに在圏する前に入力されてもよい。また、入力情報は、出力部２０３にセルの情報が表示された際に、端末２０のユーザーの操作により入力されてもよい。なお、制御信号は、パイロット信号やリファレンス信号等のセルを特定する信号であってもよい。
【００５４】
＜端末２０からコアネットワーク３０を介して経路登録が行われる例＞
図６のＳ２１及びＳ２２において、端末２０は、コアネットワーク３０を介して、所望のセルを管理する基地局に対して、当該セルに端末２０の情報を登録する。
【００５５】
端末２０が所望のセルを選択する方法は上記と同様である。
【００５６】
Ｓ２１において、端末２０は、選択されたセルを示す情報を生成し、この情報を含む経路登録依頼を、コアネットワークノード３００に送信する。
【００５７】
Ｓ２２において、コアネットワークノード３００は、経路登録依頼に含まれる情報に基づき、選択されたセルに対して、端末２０の情報を登録する。例えば、図１の例の場合、端末２０は、セル４、セル５、セル２、セル３を選択する。ここで、経路登録依頼に含まれるセルの情報は、セル４、セル５、セル２、セル３を特定する情報である。
【００５８】
例えば、端末２０が出発地Ａにいる場合、端末２０は、セル４を管理する基地局１４に対して、経路登録依頼を送信する。ここで、経路登録依頼には、端末２０の情報と、セル４、セル５、セル２、セル３を特定する情報とが含まれる。基地局１４は、経路登録依頼を受信すると、コアネットワークノード３００宛に、この経路登録依頼を転送する（または、経路登録依頼に基づく情報が、コアネットワークノード３００宛に送信される）。
【００５９】
コアネットワークノード３００は、経路登録依頼を受信すると、セル４、セル５、セル２、セル３を管理する基地局宛に、端末２０の情報を登録するための情報を送信する。この情報を受信した基地局は、端末２０の情報を記憶部１０４に登録する。
【００６０】
上記処理は、端末２０によって実施されたが、例えば、管理端末２２によって実施されてもよい。すなわち、管理端末２２が、端末２０の代わりに、当該情報の登録をできる。
【００６１】
例えば、図１において、管理端末２２は端末２０の情報を予め記憶する。この管理端末２２が、端末２０の移動経路におけるセル４、セル５、セル２、セル３に対して、端末２０の情報を登録する。また、管理端末２２は、コアネットワークノード３００宛に、端末２０の情報と、セル４、セル５、セル２、セル３を特定する情報とを含む経路登録依頼を送信する。送信された経路登録依頼に応じて、コアネットワークノード３００は、セル４、セル５、セル２、セル３を管理する基地局宛に、端末２０の情報を登録するための情報を送信する。この情報を受信した基地局は、端末２０の情報を記憶部１０４に登録する。
【００６２】
上述した端末２０の情報は、例えば、端末２０を特定するための電話番号または識別情報などであってもよい。また、端末２０の情報は、端末２０が在圏する予定のセルと在圏する予定の時刻とが対応づけられた情報を含んでもよい。また、端末２０の情報は、端末２０の情報が登録されるセルにおいて、基地局が送信する端末呼び出しのための信号（または後述する呼出メッセージ）の送信周期、送信時間帯、送信時刻、送信方法等の条件を含んでもよい。
【００６３】
図７は、第１の例示的な実施形態において端末２０が経路を外れた場合の動作を示す。
【００６４】
図７のＳ３０において、図６において端末２０の情報が登録されたセルにおいて、端末２０を呼び出すための呼出メッセージ（呼出信号または呼出情報ともいう）が送信される。この呼出メッセージは、所定の周期またはランダムなタイミングにおいて、送信される。図７の例では、セル４、セル５、セル２、セル３における呼出メッセージは、いずれも端末２０に受信されていない。端末２０が呼出メッセージに対する応答を送信していないことが、記号「×」として示されている。これは、端末２０がセル４、セル５、セル２及びセル３の何れにも存在しないことを示している。すなわち、端末２０が所定の経路を外れていることを示す。
【００６５】
同様の状態が所定期間継続すると、呼出メッセージが送信されたセルを管理する基地局がＳ３１の動作を行う。
【００６６】
Ｓ３１において、基地局は、コアネットワークノード３００宛に、端末の位置を確認するための呼出メッセージが未到達であった事を示す位置確認未到達メッセージを送信する。なお、この位置確認未到達メッセージとともに、端末２０と管理端末２２あてへ経路が外れていることを知らせることを依頼する通知依頼が、送信されてもよい。位置確認未到達メッセージを受信すると、位置確認未到達メッセージの送信元である基地局が管理するセルに、端末２０が在圏していないことを、コアネットワークノード３００が認識する。
【００６７】
なお、端末２０の情報が登録されたセル２〜５のカバレッジエリアの中に、端末２０が在圏している場合、端末２０が経路を外れたとはみなされない。
【００６８】
コアネットワークノード３００は、通知依頼を受信すると、端末２０と管理端末２２との少なくとも一方に対して、端末２０が所定の経路を外れていることを知らせるアラーム通知を送信する。
【００６９】
上述した呼出メッセージは、基地局の記憶部１０４に登録された呼出メッセージの送信周期や送信時間帯または送信条件に基づいて、送信されてもよい。例えば、端末２０を所持するユーザーが経路を移動する時刻を送信時間帯とすることができる。例えば、送信時間帯になると、セルにおいて呼出メッセージが送信される。
【００７０】
また、例えば、移動経路に対応する少なくとも一つのセルに端末２０が在圏したことをトリガーに、所定時間の間、対応するセルにおいて呼出メッセージが送信されてもよい。
【００７１】
なお、Ｓ３１及びＳ３２においては、コアネットワークノード３００から管理端末２２及び端末２０のアラーム通知が行われる。ただし、コアネットワークを介さず直接、管理端末２２と端末２０に対して、端末２０の経路が外れていることを知らせる通知が行われてもよい。例えば、アラーム通知が基地局間のネットワークでやりとりされ得る。この場合、アラーム通知を隣接する基地局から受け取った、基地局が、管理端末２２または端末２０が在圏するセルにおいて、該アラーム通知を送信する。これによって、該アラーム通知が、管理端末２２または端末２０も送信される。
【００７２】
図８は、第１の例示的な実施形態において第３者端末２１が端末２０を追従する場合の動作を示す。
【００７３】
ここで、近年、防犯のために、例えば児童が携帯電話を所持する場合がある。しかし、例えば、この携帯電話が、悪意のある第３者によって、破棄される可能性がある。発明者は、このような事態を考慮し、携帯電話が破壊される前に、アラームを通知する仕組みが必要であることを見出した。
【００７４】
図８において、端末２０の情報が登録された基地局は、セルに在圏する端末２０と同時期（同時刻）にセルに在圏する他の端末の情報とを収集し、記録することができる。
【００７５】
Ｓ４１では、セル４において、端末２０がセル４に在圏する場合、端末２０はセル４を介して通信を行う。この場合、セル４を管理する基地局１４は、端末２０の位置情報を収集し、記録する。ただし、この例では、第３者端末２１はセル４に在圏していない。
【００７６】
Ｓ４２において、端末２０が移動した後、セル５に在圏する。
【００７７】
Ｓ４３はＳ４２と同時期に行われる。Ｓ４３において、第３者端末２１は、セル５に在圏する。
【００７８】
Ｓ４４において、基地局１５は、セル５に同時期に在圏する端末２０と第３者端末２１の位置情報を収集し、登録（記録）する。
【００７９】
Ｓ４５において、端末２０が移動した後、セル２に在圏する。
【００８０】
Ｓ４６はＳ４５と同時期に行われる。Ｓ４６において、第３者端末２１は、セル２に在圏する。
【００８１】
Ｓ４７において、基地局１２は、セル２に同時期に在圏する端末２０と第３者端末２１の位置情報を収集し、登録（記録）する。
【００８２】
ここで、Ｓ４４及びＳ４７における登録（記録）は、図の「・・・」で示すように、所定期間内に複数回行われてもよい。
【００８３】
Ｓ４８において、セル５を管理する基地局１５は、第３者端末２１の端末情報を、コアネットワークノード３００に通知する。
【００８４】
Ｓ４９において、同様に、セル２を管理する基地局１２は、第３者端末２１の端末情報を、コアネットワークノード３００に通知する。
【００８５】
Ｓ５０において、コアネットワークノード３００は、第３者端末２１の端末情報を記録する。
【００８６】
Ｓ５１において、コアネットワークノード３００は、第３者端末２１が端末２０を追従している事を知らせる追従情報を、端末２０を管理する管理端末２２あての通知を送信する。
【００８７】
Ｓ５２において、管理端末２２がセル４に在圏するため、セル４の基地局１４がＳ５１における通知を受信し、基地局１４は、管理端末２２あてに、この通知を送信する。
【００８８】
＜Ｓ４８またはＳ４９の条件＞
セル５を管理する基地局１５は、第３者端末２１が端末２０を追従する候補端末であると判断すると、Ｓ４８における第３者端末２１の端末情報の通知を行うことができる。ここで、各基地局（各セル）が追従する候補端末であると判断する基準は、例えば、以下の２つに基づいている。
１）自セルの隣接セルから自セルへ端末２０と第３者端末２１が移動した、または、自セルから隣接セルへ端末２０と第３者端末２１が移動した。
２）上記１）の移動は同時期（同時刻）である。
【００８９】
なお、ここで、隣接するセルの情報は、各基地局に記録されているものとする。
【００９０】
例えば図１の場合、セル５からセル２へ端末２０と第３者端末２１が同時刻（同時期）に移動した場合、セル５またはセル２に対応する基地局は、第３者端末２１を、端末２０を追従する候補端末として記録する。
【００９１】
この候補端末の情報は、Ｓ４８またはＳ４９の通知により、コアネットワークノード３００においても同様に、蓄積（記録）される（例えば、Ｓ５０）。
【００９２】
ここで、コアネットワークノード３００は、蓄積（記録）された候補端末の中から、所定期間内に複数回同様の行動が記録された端末があった場合、当該端末を追従端末として特定する。コアネットワークノード３００は、特定した追従端末の追従情報を、Ｓ５１及びＳ５２のプロセスを用いて送信する。
【００９３】
なお、端末２０の移動経路に登録された全てのセルが、Ｓ４４またはＳ４７と同様の記録動作を可能に構成されている。
【００９４】
また、例えば、セル５からセル２へ同時刻に移動した第３者端末２１が、数日後セル４からセル５へ同時刻に移動した場合、Ｓ４４において追従候補として記録されてもよい。
【００９５】
また、一定の期間内に同様の事象が発生しない端末の記録は削除されてもよい。例えば、端末２０が登録したセル４、セル５、セル２、セル３を連続して同時刻に通過することがない第３者端末２１の端末情報は、削除されてもよい。なお、この期間や記録回数、対象端末などの条件は端末単位で設定することが可能である。なお、端末２０でも設定可能である。例えば、全ての端末を記録することにより膨大なログになることを防ぐため、基本的な記録条件は通信事業者側で定められてもよい。
【００９６】
また、特定の第３者端末２１を、端末２０の移動経路のセルに登録することも可能である。この場合、この第３者端末２１が登録セルを同時刻に通過した場合、記録回数によらず端末２０または管理端末２２あるいは他の指定された端末に通知するように構成することもできる。
【００９７】
本実施形態によれば、移動体（例えば児童）の所持する端末が所定の範囲の外にいるかどうかを判定する判定処理をより適切に行うことができる。
【００９８】
また、上述のとおり、同じタイミング（時刻）かつ同じ場所（セル）に複数回継続して記録された端末がセル（基地局）で判断され、端末の所持者（例えば、児童）と端末を管理する管理端末（例えば、児童の両親または管理者）へ通知することが可能である。したがって、例えば、児童が第３者から追従されていることを迅速に知らせることが可能である。結果として、例えば悪意のある第３者に狙われることを事前に防ぐことが可能になる。
【００９９】
また、端末が事前に登録された経路にあるセルの範囲の外に出た場合、アラームが発生し、本人の端末と管理者または保護者の端末（管理端末）へ通知することが可能である。従って、例えば、端末の所持者（例えば児童）が道を間違い迷子になることを防ぐことができる。
【０１００】
＜第２の例示的な実施形態＞
図９は、第２の例示的な実施形態の無線通信システムを示す。図９は、第１の例示的の実施形態の図２に示された無線通信システムの一例である。
【０１０１】
本実施形態の動作は、第１の例示的の実施形同様である。
【０１０２】
第２の例示的な実施形態は、EPS（Evolved Packet System）に関連する。本実施形態の無線通信システムは、移動局UE (User Equipment)と複数のセル、複数のセルを形成する基地局eNB(evolved Node B)と、コアネットワーク、及びコアネットワークに設けられたMME (Mobility Management Entity)とを有する。各eNBは、隣接するeNBとの間にＸ２インタフェースを有する。また、各eNBは、コアネットワークとＳ１インタフェースで接続されている。なお、MMEは、eNBとの間にS1-MMEインタフェース（不図示）を設ける。MMEはeNBを収容し、UEの移動管理、認証（セキュリティ制御）およびユーザデータ転送経路の設定処理を行う。
【０１０３】
また、各セルにおいて、第１の例示的な実施形態の呼出メッセージに相当するページングメッセージを周期的に送信する事が可能である（周期的ページング（periodic/cyclic paging）ともいう）。このメッセージは、レイヤー３のメッセージであってもよい。
【０１０４】
また、eNBは、図８のＳ４４に相当する動作を行う際、UEの識別情報を取得し、当該識別情報を記録する。ここでeNBは、UEがコアネットワークに送信するメッセージを分析することで、UEの識別情報を取得することができる。例えば、このメッセージは、NAS(non-access stratum)メッセージである。例えば、UEの識別情報は、一時的移動局識別子:Temporary Mobile Subscriber Identity)、UEの電話番号、UEのIP(Internet Protocol)アドレスであってもよい。
【０１０５】
また、Ｓ４２またはＳ４３に対応する動作として、UEが自ら取得した位置情報をeNBに知らせてもよい。
【０１０６】
Ｓ４２またはＳ４３に相当するメッセージは、例えば、測定レポート（measurement report）、Ｅ-ＲＡＢ  ｓｅｔｕｐ  ｒｅｑｕｅｓｔメッセージであってもよい。
【０１０７】
上述のとおり、EPS（Evolved Packet System）に関連する例示的な実施形態に本発明を適用可能である。
【０１０８】
＜第３の例示的な実施形態＞
図１０は、第３の例示的な実施形態の基地局を示す。
図１０において、基地局は、端末と通信するために用いられるセルを有する。基地局は、記憶部４０１と、第１通信部４０２と、第２通信部４０３とを有する。
【０１０９】
記憶部４０１は、セルと端末とを関連付けるための関連付け情報を登録する。
【０１１０】
第１通信部４０２は、記憶部４０１にて登録された関連付け情報に基づいて、端末を呼び出すための呼出メッセージを送信する。
【０１１１】
第２通信部４０３は、呼出メッセージに対して応答がない場合、コアネットワークノードに、端末が、セルの範囲外にいることを示すアラーム情報を送信する。
【０１１２】
本実施形態によれば、移動体が所定の範囲の外にいるかどうかを判定する判定処理をより適切に行うことができる。
【０１１３】
＜第４の例示的な実施形態＞
図１１は、第４の例示的な実施形態の無線通信システムを示す。
図１１において、本実施形態の無線通信システムは、端末５０１と、セル５０２と、セルを管理する基地局５０３と、基地局を管理するコアネットワークノード５０４とを有する。
【０１１４】
基地局５０３は、セル５０２と端末５０１とを関連付けるための関連付け情報を登録し、登録された関連付け情報に基づいて、端末５０１を呼び出すための呼出メッセージを送信する。基地局５０３は、呼出メッセージに対して応答がない場合、コアネットワークノード５０４に、端末５０１が、セルの範囲外にいることを示すアラーム情報を送信する（例えば、端末５０１Ａのように、端末５０１Ａはセル５０２の範囲外に存在する）。
【０１１５】
コアネットワークノード５０４は、アラーム情報を受信し、アラーム情報に基づいて、端末５０１Ａに対するアラーム通知を行う。
【０１１６】
端末５０１Ａは、アラーム通知を受信する。
【０１１７】
本実施形態によれば、移動体が所定の範囲の外にいるかどうかを判定する判定処理をより適切に行うことができる。
【０１１８】
＜他の例示的な実施形態＞
以上、例示的な実施形態を参照して本発明を説明したが、本発明は上記例示的な実施形態に限定されるものではない。本発明の構成や詳細には、本発明のスコープ内で当業者が理解し得る様々な変更をすることができる。たとえば、以下のような構成も本発明に含まれる。
【０１１９】
移動体とは、端末を所持する者を意味する。例えば、移動体は、徘徊老人、児童等であってもよい。また、移動体は、人間に限らず、ペット等の動物に端末を取り付けることも可能である。すなわち、動物に身に付けることで、例えば迷い犬（犬に限らず全ての動物）の数を減少させることが可能となる。
【０１２０】
また例えば、ストーカー対策にも利用可能となる。例えば、端末２０と端末２０を追従する端末である第３者端末２１とが、所定のセルに共に在圏した後、同時期に、所定セルの範囲の外にいる場合、例えば、端末２０の移動体の連れ去り等の事象が発生していると判断がなされてもよい。この場合、アラームの通知が、端末２０や管理端末２２だけでなく、端末２０等が存在するセルにもっとも近い警察署の端末や、警備会社の端末宛にアラームの通知が送信されてもよい。
【０１２１】
上述した実施形態の対象となる通信システムは、他のシステムに適用可能である。例えば、上記実施形態は、Ｗ−ＣＤＭＡ（Wideband Code Division Multiple Access）、ＧＳＭ（登録商標）（Global System for Mobile communications）、ＷｉＭＡＸ（Worldwide interoperability for Microwave Access）等に適用可能であるが、これらに限定されない。
【０１２２】
また、上述の例示的な実施形態について、端末に関して本明細書で説明する。端末は、無線端末、移動端末またはユーザー端末と呼ぶこともできる。また、端末は、システム、加入者ユニット、加入者局、移動局、ワイヤレス端末、モバイルデバイス、ノード、デバイス、リモート局、リモート端末、ワイヤレス通信デバイス、ワイヤレス通信デバイス、ワイヤレス通信装置またはユーザエージェントの機能性の一部または全部を含み得る。端末は、セルラー電話、コードレス電話、セッション開始プロトコル(SIP)電話、スマートフォン、ワイヤレスローカルループ(WLL)局、携帯情報端末(PDA)、ラップトップ、タブレット、ネットブック、スマートブック、ハンドヘルド通信デバイス、ハンドヘルドコンピューティングデバイス、衛星無線、ワイヤレスモデムカードおよび/またはワイヤレスシステムを介して通信する別の処理デバイスでよい。
【０１２３】
また、上述の例示的な実施形態は、上記の無線通信端末、無線通信システム、ハードウェア、ソフトウェア又はこれらの組み合わせにより実現することができる。また、上記の通信システムの無線通信方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０１２４】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Compact Disc-Read Only Memory）、ＣＤ−Ｒ（Compact Disc - Recordable）、ＣＤ−Ｒ／Ｗ（Compact Disc - Rewritable）、ＤＶＤ−ＲＯＭ（Digital Versatile Disc-ROM）、ＤＶＤ−Ｒ（Digital Versatile Disc - Recordable）、ＤＶＤ−Ｒ／Ｗ（Digital Versatile Disc-Rewritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory）)を含む。
【０１２５】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【０１２６】
セル  １、２、３、４、５、６
基地局  １１、１２、１３、１４、１５、１６
端末  ２０
第３者端末  ２１
管理端末  ２２
コアネットワーク  ３０
アンテナ  １０１
第１通信部  １０２
制御部  １０３
記憶部  １０４
第２通信部  １０５
通信部  ２０１
制御部  ２０２
出力部  ２０３
入力部  ２０４
アンテナ  ２０５
コアネットワークノード  ３００
受信部  ３０１
制御部  ３０２
送信部  ３０３
記憶部  ４０１
第１通信部  ４０２
第２通信部  ４０３
端末  ５０１、５０１Ａ
セル  ５０２
基地局  ５０３
コアネットワークノード  ５０４
移動経路  １０００
【図１】
0006536100.tif 000002
【図２】
0006536100.tif 000003
【図３】
0006536100.tif 000004
【図４】
0006536100.tif 000005
【図５】
0006536100.tif 000006
【図６】
0006536100.tif 000007
【図７】
0006536100.tif 000008
【図８】
0006536100.tif 000009
【図９】
0006536100.tif 000010
【図１０】
0006536100.tif 000011
【図１１】
0006536100.tif 000012